(57)【要約】      （修正有）【課題】カバーを閉じた状態でも、電子デバイスに関する情報を簡易に確認することが可能な電子システムを提供する。【解決手段】少なくとも一方の面側に表示部を備えた電子デバイス１と、電子デバイスに装着可能に構成された電子デバイス用カバー５（１）と、を含む電子デバイスシステムであって、電子デバイス用カバーは、表示部を覆う閉じた状態と露出させる開いた状態とで開閉可能なカバー部６と、カバー部の一部に、表示部の一部を覆う閉じた状態と露出させる開いた状態とで開閉可能に形成された窓部７と、を備える。電子デバイスは、窓部が開いたことを検出するための検出手段３と、検出手段で窓部が開いたことを検出した場合には、露出する表示部の一部に、電子デバイスに関するデバイス情報を表示する制御手段４と、を備えている。【選択図】図１
2017027465.tif 000002
【特許請求の範囲】
【請求項１】
少なくとも一方の面側に表示部を備えた電子デバイスと、前記電子デバイスに装着可能に構成された電子デバイス用カバーと、を含む電子デバイスシステムであって、
前記電子デバイス用カバーは、
前記表示部を覆う閉じた状態と前記表示部を露出させる開いた状態とで開閉可能なカバー部と、
前記カバー部の一部に、前記表示部の一部を覆う閉じた状態と前記表示部の一部を露出させる開いた状態とで開閉可能に形成された窓部と、
を備え、
前記電子デバイスは、
前記窓部が開いたことを検出するための検出手段と、
前記検出手段で前記窓部が開いたことを検出した場合に、露出する前記表示部の一部に、前記電子デバイスに関するデバイス情報を表示する制御手段と、
を備えたことを特徴とする電子デバイスシステム。
【請求項２】
前記デバイス情報は、前記電子デバイスのバッテリの残量に関する情報、前記バッテリが充電中か否かを示す情報、及びメールの新着に関する情報の少なくとも１つを含むことを特徴とする請求項１に記載の電子デバイスシステム。
【請求項３】
前記電子デバイス用カバーは、前記電子デバイスと外部機器を接続するためのケーブルを備え、
前記ケーブルは、
前記窓部に形成された、前記外部機器と接続するための第１のコネクタと、
前記電子デバイスの外部入力端子と接続するための第２のコネクタと、
を有することを特徴とする請求項１又は請求項２に記載の電子デバイスシステム。
【請求項４】
前記第１のコネクタは、前記窓部が閉じた状態において前記表示部と対向する面側に形成されており、前記窓部が開いた状態において露出することを特徴とする請求項３に記載の電子デバイスシステム。
【請求項５】
前記外部機器は、充電用デバイスを含むことを特徴とする請求項３又は請求項４に記載の電子デバイスシステム。
【請求項６】
前記外部入力端子は、専用の外部入力端子又は汎用の外部入力端子であることを特徴とする請求項３〜請求項５のいずれか１つに記載の電子デバイスシステム。
【請求項７】
前記検出手段は、前記ケーブルに前記外部機器が接続されたことを検出した場合に、前記窓部が開いたと検出することを特徴とする請求項３〜請求項６のいずれか１つに記載の電子デバイスシステム。
【請求項８】
少なくとも一方の面側に表示部を備えた電子デバイスに装着可能に構成された電子デバイス用カバーであって、
前記表示部を覆う閉じた状態と前記表示部を露出させる開いた状態とで開閉可能なカバー部と、
前記カバー部の一部に、前記表示部の一部を覆う閉じた状態と前記表示部の一部を露出させる開いた状態とで開閉可能に形成された窓部と、
を備えたことを特徴とする電子デバイス用カバー。
【請求項９】
さらに、前記電子デバイスと外部機器を接続するためのケーブルを備え、
前記ケーブルは、
前記窓部に形成された、前記外部機器と接続するための第１のコネクタと、
前記電子デバイスの外部入力端子と接続するための第２のコネクタと、
を有することを特徴とする請求項８に記載の電子デバイス用カバー。
【請求項１０】
前記第１のコネクタは、前記窓部が閉じた状態において前記表示部と対向する面側に形成されており、前記窓部が開いた状態において露出することを特徴とする請求項９に記載の電子デバイス用カバー。
【請求項１１】
少なくとも一方の面側に表示部を備え、かつ、当該少なくとも一方の面側を開閉可能なカバー部と、前記カバー部の一部に前記表示部の一部を覆う閉じた状態と前記表示部の一部を露出させる開いた状態とで開閉可能に形成された窓部とを有する電子デバイス用カバーを装着可能に構成された電子デバイスであって、
前記窓部が開いたことを検出するための検出手段と、
前記検出手段で前記窓部が開いたことを検出した場合には、露出する前記表示部の一部に、当該電子デバイスに関するデバイス情報を表示する制御手段と、
を備えたことを特徴とする電子デバイス。
【請求項１２】
前記デバイス情報は、前記電子デバイスのバッテリの残量に関する情報、前記バッテリが充電中か否かを示す情報、及びメールの新着に関する情報の少なくとも１つを含むことを特徴とする請求項１１に記載の電子デバイス。
【発明の詳細な説明】
【技術分野】
【０００１】
本発明は、電子デバイスシステム、電子デバイス用カバー、及び電子デバイスに関する。
【背景技術】
【０００２】
近時、スマートフォンやタブレットＰＣ等の電子デバイスに装着して保護するためのカバーアクセサリーが普及している。かかるカバーアクセサリーには、電子デバイスの表示部を選択的に開閉可能となっているものもある。ユーザが電子デバイスを使用する場合は、カバーを開いて表示部を露出させ、ユーザが電子デバイスを使用しない場合は、カバーを閉じて表示部を覆って保護するのが一般的である。
【０００３】
ユーザによっては、カバーを閉じた状態でも、電子デバイスに関する情報を簡易に確認したい場合がある。そのため、カバーを閉じた状態において、電子デバイスに関する情報を簡易に確認することが可能なシステムが望まれる。
【先行技術文献】
【特許文献】
【０００４】
【特許文献１】特開２０１２−１１０６３１号公報
【発明の概要】
【発明が解決しようとする課題】
【０００５】
本発明は、上記に鑑みてなされたものであって、例えば、カバーを閉じた状態でも、電子デバイスに関する情報を簡易に確認することが可能な電子デバイスシステム、電子デバイス用カバー、及び電子デバイスを提供することを目的とする。
【課題を解決するための手段】
【０００６】
上述した課題を解決するため、本発明は、少なくとも一方の面側に表示部を備えた電子デバイスと、前記電子デバイスに装着可能に構成された電子デバイス用カバーと、を含む電子デバイスシステムであって、前記電子デバイス用カバーは、前記表示部を覆う閉じた状態と前記表示部を露出させる開いた状態とで開閉可能なカバー部と、前記カバー部の一部に、前記表示部の一部を覆う閉じた状態と前記表示部の一部を露出させる開いた状態とで開閉可能に形成された窓部と、を備え、前記電子デバイスは、前記窓部が開いたことを検出するための検出手段と、前記検出手段で前記窓部が開いたことを検出した場合には、露出する前記表示部の一部に、前記電子デバイスに関するデバイス情報を表示する制御手段と、を備えたことを特徴とする。
【０００７】
また、本発明の好ましい態様によれば、前記デバイス情報は、前記電子デバイスのバッテリの残量に関する情報、前記バッテリが充電中か否かを示す情報、及びメールの新着に関する情報の少なくとも１つを含むことが望ましい。
【０００８】
また、本発明の好ましい態様によれば、前記電子デバイス用カバーは、前記電子デバイスと外部機器を接続するためのケーブルを備え、前記ケーブルは、前記窓部に形成された、前記外部機器と接続するための第１のコネクタと、前記電子デバイスの外部入力端子と接続するための第２のコネクタと、を有することが望ましい。
【０００９】
また、本発明の好ましい態様によれば、前記第１のコネクタは、前記窓部が閉じた状態において前記表示部と対向する面側に形成されており、前記窓部が開いた状態において露出することが望ましい。
【００１０】
また、本発明の好ましい態様によれば、前記外部機器は、充電用デバイスを含むことが望ましい。
【００１１】
また、本発明の好ましい態様によれば、前記外部入力端子は、専用の外部入力端子又は汎用の外部入力端子であることが望ましい。
【００１２】
また、本発明の好ましい態様によれば、前記検出手段は、前記ケーブルに前記外部機器が接続されたことを検出した場合に、前記窓部が開いたと検出することが望ましい。
【００１３】
上述した課題を解決し、目的を達成するために、本発明は、少なくとも一方の面側に表示部を備えた電子デバイスに装着可能に構成された電子デバイス用カバーであって、前記電子デバイスの前記少なくとも一方の面側を開閉可能なカバー部と、前記カバー部の一部に、前記表示部の一部を開閉可能に形成された窓部と、を備えたことを特徴とする。
【００１４】
また、本発明の好ましい態様によれば、さらに、前記電子デバイスと外部機器を接続するためのケーブルを備え、前記ケーブルは、前記窓部に形成された、前記外部機器と接続するための第１のコネクタと、前記電子デバイスの外部入力端子と接続するための第２のコネクタと、を有することが望ましい。
【００１５】
また、前記第１のコネクタは、前記窓部が閉じた状態において前記表示部と対向する面側に形成されており、前記窓部が開いた状態において露出することが望ましい。
【００１６】
上述した課題を解決し、目的を達成するために、本発明は、少なくとも一方の面側に表示部を備え、かつ、当該表示部を覆う閉じた状態と前記表示部を露出させる開いた状態とで開閉可能なカバー部と、前記カバー部の一部に前記表示部の一部を覆う閉じた状態と前記表示部の一部を露出させる開いた状態とで開閉可能に形成された窓部とを有する電子デバイス用カバーを装着可能に構成された電子デバイスであって、前記窓部が開いたことを検出するための検出手段と、前記検出手段で前記窓部が開いたことを検出した場合には、露出する前記表示部の一部に、当該電子デバイスに関するデバイス情報を表示する制御手段と、を備えたことを特徴とする。
【００１７】
また、本発明の好ましい態様によれば、前記デバイス情報は、前記電子デバイスのバッテリの残量に関する情報、前記バッテリが充電中か否かを示す情報、及びメールの新着に関する情報の少なくとも１つを含むことが望ましい。
【発明の効果】
【００１８】
本発明によれば、カバーを閉じた状態でも、電子デバイスに関する情報を簡易に確認することが可能になるという効果を奏する。
【図面の簡単な説明】
【００１９】
【図１】図１は、実施の形態に係る電子デバイスシステムの模式図である。
【図２−Ａ】図２−Ａは、実施例に係るタブレットＰＣの平面図である。
【図２−Ｂ】図２−Ｂは、実施例に係るタブレットＰＣの底面図である。
【図３−Ａ】図３−Ａは、実施例に係るタブレットＰＣ用カバーの平面図である。
【図３−Ｂ】図３−Ｂは、図３−Ａの概略のＡ−Ａ断面を示す図である。
【図４−Ａ】図４−Ａは、実施例に係るタブレットＰＣに、実施例に係るタブレットＰＣ用カバーを装着した状態を示す図である（カバーを開いた状態）。
【図４−Ｂ】図４−Ｂは、実施例に係るタブレットＰＣに、実施例に係るタブレットＰＣ用カバーを装着した状態を示す図である（カバーを閉じた状態）。
【図４−Ｃ】図４−Ｃは、実施例に係るタブレットＰＣに、実施例に係るタブレットＰＣ用カバーを装着した状態を示す図である（カバーを閉じた状態で窓部を開いた状態）。
【図５】図５は、実施例に係るタブレットＰＣの概略のハードウェア構成例を示す図である。
【図６】図６は、実施例に係るタブレットＰＣの制御部によって実行される一部表示処理の概略を説明するためのフローチャートである。
【発明を実施するための形態】
【００２０】
以下、本実施の形態に係る電子デバイスシステム、電子デバイス用カバー、及び電子デバイスの実施の形態について説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００２１】
（実施の形態）
図１は、実施の形態に係る電子デバイスシステムの模式図である。図１に示すように、実施の形態に係る電子デバイスシステムは、電子デバイス１と、電子デバイス用カバー５とを備えている。電子デバイス１は、例えば、少なくとも一方の面側に表示部２を備えたスマートフォン、タブレットＰＣ、ゲーム端末等の電子デバイスである。
【００２２】
電子デバイス用カバー５は、電子デバイス１に装着可能に構成されており、電子デバイス１の少なくとも一方の面側を覆う閉じた状態と露出させる開いた状態とで開閉可能なカバー部６と、カバー部６の一部に、電子デバイス１の表示部２の一部を覆う閉じた状態と露出させる開いた状態とで開閉可能に形成された窓部７と、を備えている。
【００２３】
窓部７は、例えば、折り曲げ、回転的又は直線的に移動することにより、電子デバイス１の表示部２の一部２Ａを開閉可能に構成することができる。図１に示す例では、窓部７は、折り曲げ線７Ａを軸としてカバー部６に対して折り曲げ可能（回転可能）に構成されている。
【００２４】
電子デバイス１は、前面側に設けられた表示部２と、電子デバイス用カバー５の窓部７が開いたことを検出するための検出手段３と、検出手段３で電子デバイス用カバー５の窓部７が開いたことを検出した場合には、露出する表示部２の一部２Ａに、電子デバイス１に関するデバイス情報９を表示する制御手段４と、を備えている。
【００２５】
表示部２は、例えば、ＬＣＤ，有機ＥＬデバイス等の表示デバイスとタッチセンサ等のタッチ入力デバイスとで構成されたタッチパネルで構成することができる。検出手段３及び制御手段４は、ハードウェアやソフトウェア（Ｗｉｎｄｏｗｓ（登録商標）、ｉＯＳ（登録商標）、Ａｎｄｒｏｉｄ（登録商標）等のＯＳ、ＡＰＩ、サービス、ユーティリティ、ライブラリ、ドライバ、及びアプリケーション等のプログラム）のモジュール、又は、その組み合わせで構成することができる。
【００２６】
表示部２の一部２Ａに表示するデバイス情報９は、例えば、電子デバイス１のバッテリの残量に関する情報、バッテリが充電中か否かを示す情報、及びメールの新着に関する情報の少なくとも１つを含むことにしてもよい。また、デバイス情報９は、さらに、アプリの更新に関する情報、ＳＮＳの新着に関する情報、電話の新着に関する情報、及び時刻情報等を含むことにしてもよい。
【００２７】
電子デバイス用カバー５は、電子デバイス１と外部機器を接続するためのケーブル（不図示）を備え、かかるケーブルは、窓部７に形成された、外部機器と接続するための第１のコネクタ７Ｂと、電子デバイス１の外部入力端子と接続するための第２のコネクタ（不図示）とを有することにしてもよい。
【００２８】
第１のコネクタ７Ｂは、図１に示すように、窓部７が閉じた状態において表示部２と対向する面側に形成し、窓部７が開いた状態において露出するように構成してもよい。
【００２９】
電子デバイス１の外部入力端子は、専用又は汎用の外部入力端子としてもよい。汎用の外部入力端子は、例えば、ＵＳＢ、ｍｉｃｒｏＵＳＢ、ＵＳＢ−Ｃ、ＨＤＭＩ（登録商標）、ｍｉｃｒｏＨＤＭＩ（登録商標）、ＤＶＩ、Ｌｉｇｈｔｎｉｎｇ等の汎用規格の外部入力端子である。
【００３０】
第１のコネクタ７Ｂと接続する外部機器は、例えば、充電用デバイス（携帯可能な充電用アクセサリ、ＡＣ／ＤＣアダプタ、充電電力を供給可能なノートＰＣ等を含む）、端末装置、カメラやプリンタ等の周辺機器である。
【００３１】
電子デバイス用カバー５の窓部７の開閉を検出する方法としては、例えば、以下の方法が考えられる。（１）窓部７にマグネットを配置すると共に、窓部７を閉じた際の当該マグネットの位置に対応する、電子デバイス１の位置にホール素子を設け、検出手段３は、ホール素子で磁力の変化を検出することにより、窓部７の開閉を検出してもよい。（２）電子デバイス用カバー５のカバー部６及び／又は窓部７に、窓部７の開閉を検出するための接点スイッチを設け、検出手段３は、例えば、上述の第２のコネクタを介して、接点スイッチのＯＮ／ＯＦＦの信号を受け取って窓部７の開閉を検出してもよい。（３）外部機器を窓部７の第１のコネクタ７Ｂに接続する場合は、窓部７を必ず開く必要があるため、検出手段３は、ケーブル（第１のコネクタ７Ｂ及び第２のコネクタ）を介して外部機器の接続を検出した場合に窓部７が開いたことを検出してもよい。
【００３２】
本実施の形態に係る電子デバイスシステムよれば、少なくとも一方の面側に表示部２を備えた電子デバイス１と、電子デバイス１に装着可能に構成された電子デバイス用カバー５とを備え、電子デバイス用カバー５は、電子デバイス１の少なくとも一方の面側を開閉可能なカバー部６と、カバー部６の一部に、表示部２の一部を開閉可能に形成された窓部７と、を備え、電子デバイス１は、窓部７が開いたことを検出するための検出手段３と、検出手段３で窓部７が開いたことを検出した場合には、露出する表示部２の一部２Ａに、電子デバイス１に関するデバイス情報９を表示する制御手段４と、を備えているので、カバー部６を閉じた状態でも、ユーザは、窓部７を開くだけで、電子デバイス１に関するデバイス情報９を簡易に確認することが可能となる。
【００３３】
また、本実施の形態によれば、デバイス情報９は、電子デバイス１のバッテリの残量に関する情報、バッテリが充電中か否かを示す情報、及びメールの新着に関する情報の少なくとも１つを含むこととしたので、ユーザは、電子デバイス１のバッテリの残量に関する情報、バッテリが充電中か否かを示す情報、及びメールの新着に関する情報を確認することが可能となる。
【００３４】
また、本実施の形態によれば、電子デバイス用カバー５は、電子デバイス１と外部機器を接続するためのケーブルを備え、当該ケーブルは、窓部７に形成された、外部機器と接続するための第１のコネクタ７Ｂと、電子デバイス１の外部入力端子と接続するための第２のコネクタと、を有しているので、ユーザは別途、ケーブルを携帯していなくても、電子デバイス１と外部機器を接続することが可能となる。
【００３５】
また、本実施の形態によれば、第１のコネクタ７Ｂは、窓部７が閉じた状態において表示部２と対向する面側に形成されており、窓部７が開いた状態において露出することとしたので、窓部７を閉じた状態では、第１のコネクタ７Ｂが露出していないため、第１のコネクタ７Ｂの摩耗を低減することが可能となる。
【００３６】
また、本実施の形態によれば、外部機器は、充電用デバイスを含むこととしたので、電子デバイス用カバー５を介して、充電用デバイスを接続することで、電子デバイス１のバッテリを充電することが可能となる。
【００３７】
また、本実施の形態によれば、電子デバイス１の外部入力端子は、専用の外部入力端子又は汎用の外部入力端子であることとしたので、電子デバイス１の専用又は汎用の外部入力端子、及び、電子デバイス用カバー５を介して、電子デバイス１を外部機器を接続することが可能となる。
【００３８】
また、本実施の形態によれば、検出手段３は、電子デバイス用カバー５のケーブル（第１のコネクタ７Ｂ）に外部機器が接続されたことを検出した場合に、窓部７が開いたと検出することにしたので、電子デバイス用カバー５に別途、窓部７の開閉を検出するための機構を設ける必要がなくなり、簡単な方法で窓部７の開閉を検出することが可能となる。
【００３９】
なお、本実施の形態では、外部の充電用デバイスを介して電子デバイス１を充電する例について説明したが、電子デバイス用カバー５に充電用デバイスを内蔵して、接触式又は非接触方式（Wireless充電）で電子デバイス１のバッテリを充電することにしてもよい。
【００４０】
（実施例）
図２−Ａ〜図６を参照して、上記実施の形態に係る電子デバイスシステムを、タブレットＰＣシステムに適用した場合の一実施例を説明する。図２−Ａは、実施例に係るタブレットＰＣ１０の平面図、図２−Ｂは、実施例に係るタブレットＰＣ１０の底面図、図３−Ａは、実施例に係るタブレットＰＣ用カバー２０の平面図、図３−Ｂは、図３の概略のＡ−Ａ断面を示す図である。タブレットＰＣ用カバー２０は、タブレットＰＣ１０に対して着脱可能に構成されている。
【００４１】
図２−Ａ及び図２−Ｂにおいて、タブレットＰＣ１０は、前面１１ａと、背面１１ｂと、長手方向の一対の側面１１ｃ、１１ｄと、短手方向の一対の側面１１ｅ，１１ｆを有する平面視略矩形形状の筐体１１を備えている。筐体１１は、例えば合成樹脂やアルミ等の金属で構成することができる。筐体１１の前面１１ａには、タッチ表示部１２が配置されている。タッチ表示部１２は、表示部１３と、表示部１３上に配置されたタッチセンサ１４とで構成されている。表示部１３には各種情報が表示される。タッチセンサ１４は、複数本の指を同時に検出可能なマルチタッチパッドであり、例えば、静電容量式のタッチセンサで構成され、タッチ位置（Ｘ，Ｙ）を検出可能な構成となっている。筐体１１の内部には、電子部品が搭載された回路基板や電源回路（バッテリ）等が収納されている。  
【００４２】
側面１１ｃには、タブレットＰＣ用カバー２０を装着するための一対の嵌合溝１８と、電子デバイス用カバー２０のケーブル窓部２３の第２のコネクタ２９Ｂと接続するための専用の外部入力端子１９Ａとが配置されている。側面１１ｄには、汎用の外部入力端子１９Ｂが配置さている。
【００４３】
筐体１１の背面１１ｂの左上隅表面には、カメラ１５が配置されている。また、筐体１１の内部には、タブレットＰＣ用カバー２０のカバー部２２の開いた状態（オープン）／閉じた状態（クローズ）を検出するための第１のホールセンサ１６と、カバー部２２の窓部２３の開いた状態／閉じた状態を検出するための第２のホールセンサ１７が配置されている。
【００４４】
図３−Ａ及び図３−Ｂにおいて、タブレットＰＣ用カバー２０は、表面２０Ａと、裏面２０Ｂとを有し、平面視略矩形形状を呈している。タブレットＰＣ用カバー２０は、ＰＣ用カバー２０をタブレットＰＣ１０の側面１１ｃに固定するための装着部２１と、装着部２１（タブレットＰＣ１０）に対して折り曲げ可能（回転可能）に構成され、タブレットＰＣ１０の前面１１ａと背面１１ｂを選択的に覆うことが可能なカバー部２２とを備えている。また、タブレットＰＣ用カバー２０は、タブレットＰＣ１０と外部機器を接続するためのケーブル２９を内蔵している。
【００４５】
装着部２１は、タブレットＰＣ１０の側面１１ｃの一対の嵌合溝１８と嵌合可能な一対の凸部２１Ａと、ケーブル２９の第２のコネクタ２９Ｂを備えている。第２のコネクタ２９Ｂは、装着部２１の端面に露出しており、一対の凸部２１ＡをタブレットＰＣ１０の一対の嵌合溝１８に嵌合させた場合に、タブレットＰＣ１０の側面１１ｃの外部入力端子１９Ａと接続される。
【００４６】
ユーザは、タブレットＰＣ用カバー２０の装着部２１の一対の凸部２１Ａを、タブレットＰＣ１０の側面１１ｃの一対の嵌合溝１８に嵌合させることにより、タブレットＰＣ用カバー２０をタブレットＰＣ１０に固定することができる。
【００４７】
カバー部２２は、タブレットＰＣ１０の前面１１ａを覆った状態において、タッチ表示
部１２の一部を覆う閉じた状態と露出させる開いた状態とで開閉するための窓部２３を備え、カバー部２２の開閉を検出するための第１のマグネット２７を内蔵している。窓部２３は、カバー部２２に対して、折り線２３Ａを軸として折り曲げ可能に形成されている。窓部２３は、裏面２０Ｂ側に露出する、ケーブル２９の第１のコネクタ２９Ａを備えており、さらに、第２のマグネット２８を内蔵している。
【００４８】
第１のマグネット２７及び第２のマグネット２８は、カバー部２２がタブレットＰＣ１０の前面１１ａを覆った状態（閉じた状態）において、カバー部２２及び第１のホールセンサ１６及び第２のホールセンサ１７と対応する位置に配置されている。
【００４９】
カバー部２２が開いた状態では、第１のマグネット２７は、タブレットＰＣ１０の第１のホールセンサ１６と離れた位置にある。他方、カバー部２２が閉じた状態では、第１のマグネット２７は、第１のホールセンサ１６と近接した位置にある。第１のホールセンサ１６は、第１のマグネット２７からの磁力を感知することにより、第１のマグネット２７が自らに接近しているか否かを検出することができ、そこからカバー部２２が開いた状態か閉じた状態かを検出することができる。同様に、タブレットＰＣ１０の第２のホールセンサ１７は、第２のマグネット２８からの磁力を感知することにより、第２のマグネット２８が自らに接近しているか否かを検出することができ、そこから窓部２３が開いた状態か閉じた状態かを検出することができる。
【００５０】
図３−Ｂに示すように、カバー部２２は、折り曲げ等が可能な弾性のあるカバー材料２５で構成することができる。カバー材料２５は、例えば、皮、合皮、布、ラバー材料、樹脂等である。カバー材料２５の一部分には、タブレットＰＣ１０に対する保護強度を向上させるために補強板２６が配設されている。補強板２６は、例えば、ガラスエポキシ板等を使用することができる。窓部２３は、補強板２６が配設されていない部分に設けられており、例えば、ラバー材料を使用することにしてもよい。補強板２６が配設されていない部分２２Ａ，２２Ｂは折り曲げが可能となっている。
【００５１】
図４−Ａ〜図４−Ｃは、タブレットＰＣ１０にタブレットＰＣ用カバー２０を装着した状態を示している。図４−Ａは、タブレットＰＣ用カバー２０のカバー部２２を開いた状態（この状態を０度とする）を示している。
【００５２】
図４−Ｂは、図４−Ａの状態からタブレットＰＣ用カバー２０のカバー部２２を１８０度回転させて、タブレットＰＣ１０の第１の面１１ａを覆った状態（閉じた状態）を示している。タブレットＰＣ１０は、カバー部２２が閉じられると、タッチ表示部１２がアクティブである場合には、タッチ表示部１２を休止状態に移行させる。
【００５３】
図４−Ｃは、図４−Ｂの状態から窓部２３を開いた状態を示している。タブレットＰＣ１０は、窓部２３が開いたことを検出すると、タッチ表示部１２をアクティブとして、露出したタッチ表示部１２の一部１２Ａに、デバイスに関するデバイス情報３０を表示する。なお、タブレットＰＣ１０は、タッチ表示部１２の全部をアクティブとしてもよく、また、露出したタッチ表示部１２の一部１２Ａのみをアクティブにしてもよい。
【００５４】
外部装置を窓部２３の第１のコネクタ２９Ａに接続することにより、タブレットＰＣ用カバー２０のケーブル２９を介して、外部装置とタブレットＰＣ１０を接続することができる。
【００５５】
デバイス情報３０は、タブレットＰＣ１０のバッテリが充電中か否か、当該バッテリの残量、新着メールの受信、アプリの更新、外部装置の接続の有無等の情報を含むことにしてもよい。図４−Ｃに示す例では、デバイス情報３０として、バッテリの残量（５０％）、新着メールの件数（１件）、現在時刻（１６：００）が表示されている。例えば、タブレットＰＣ１０は、第１のコネクタ２９Ａに充電用デバイスが接続されてバッテリの充電が行われている場合には、バッテリの残量を緑で表示し、バッテリの充電が行われていない場合には、バッテリの残量を白で表示することにより、バッテリが充電中か否かを示す情報を表示することにしてもよい。
【００５６】
図５は、上記タブレットＰＣ１０の概略のハードウェア構成例を示す図である。タブレットＰＣ１０は、同図に示すように、制御部１０１、メモリ１１１、ストレージ１１２、タッチ表示部１２、カメラ１５、第１のホールセンサ１６，第２のホールセンサ１７，外部入力端子１９Ａ、１９Ｂ、通信部１１３、及び電源部１１４を備えている。  
【００５７】
タッチ表示部１２は、表示部１３と、表示部１３に重畳されたタッチセンサ１４とを有する。タッチセンサ１４は、指やペン等の指示体を用いてタッチセンサ１４に対して行われた各種操作を、操作が行われた場所のタッチセンサ１４上での位置とともに検出し、制御部１０１に通知する。タッチセンサ１４によって検出される操作には、タッチ操作、スライド操作、及びピッチ操作が含まれる。表示部１３は、例えば、液晶ディスプレイ（ＬＣＤ：Liquid  Crystal  Display）や有機ＥＬ（Organic  Electro−Luminescence）パネルなどで構成され、制御部１０１の制御に従って文字や図形等を表示する。  
【００５８】
第１のホールセンサ１６は、タブレットＰＣ用カバー２０のカバー部２２の第１のマグネット２７からの磁力を検出して、その検出結果を制御部１０１に出力する。第２のホールセンサ１６は、タブレットＰＣ用カバー２０の窓部２３の第２のマグネット２８からの磁力を検出して、その検出結果を制御部１０１に出力する。
【００５９】
メモリ１１１は、例えば、ＲＡＭやＤＲＡＭ等で構成されており、制御部１０１によって実行されるプログラム、制御部１０１が参照するデータ、制御部１０１の演算結果等が一時的に記憶されるワークエリアとして使用される。
【００６０】
ストレージ１１２は、制御部１０１によって実行されるプログラムやデータを保持するコンピュータで読み取り可能な記憶媒体であり、ＨＤＤ、ＥＥＰＲＯＭ、及びＳＳＤ等の不揮発性メモリである。ストレージ１１２には、例えば、タブレットＰＣ１０の全体の制御を行うためのＯＳ、周辺機器類をハードウェア操作するための各種ハードウェア・ドライバ、カメラ機能を実現するためのカメラ・アプリケーション、特定業務に向けられた、ブラウザアプリケーション、電子メールアプリ、動画再生アプリ、表計算アプリ、及びワープロアプリ等の他のアプリケーション（不図示）等を記憶する機能を有する。
【００６１】
通信部１１３は、制御部１０１の制御に従って、各種ネットワークを介して無線及び／又は有線で通信を行う。
【００６２】
電源部１１４は、ＡＣアダプタ、バッテリ１１４Ａ、バッテリ１１４Ａを充電するための充電回路、及びＤＣ／ＤＣコンバータ等を備えている。電源部１１４は、制御部１１１の制御に従って、バッテリ１１４Ａ又はＡＣアダプタから得られる電力を各部に供給する。また、電源部１１４は、制御部１０１の制御に従って、充電用デバイス又はＡＣアダプタから入力される電力を使用して、バッテリ１１４Ａの充電を行う。
【００６３】
カメラ１５は、レンズと、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子と、ＲＧＢカラーフィルタと、及び信号処理回路等を備えており、レンズで撮像した被写体光をＲ，Ｇ，Ｂのアナログ画像信号に変換した後、Ｒ，Ｇ，Ｂのデジタル画像信号に変換して制御部１０１に出力する。
【００６４】
外部入力端子１９Ａは、タブレットＰＣ１０専用の外部入力端子であり、この外部入力端子１９Ａを介して、タブレットＰＣ用カバー２０のケーブル２９の第１のコネクタ２９Ａに接続される外部機器とタブレットＰＣ１０を接続する。外部入力端子１９Ｂは、汎用の外部入力端子であり、例えば、汎用の外部入力端子は、例えば、ＵＳＢ、ｍｉｃｒｏＵＳＢ、ＵＳＢ−Ｃ、ＨＤＭＩ（登録商標）、ｍｉｃｒｏＨＤＭＩ（登録商標）、ＤＶＩ、Ｌｉｇｈｔｎｉｎｇ等の汎用規格の外部入力端子である。
【００６５】
制御部１０１は、例えば、ＣＰＵ（Central  Processing  Unit）、マイクロプロセッサ、ＤＳＰ等であり、タブレットＰＣ１０の動作を統括的に制御して各種の機能を実現する。具体的には、制御部１０１は、ストレージ１１２に記憶されているデータやメモリ１１１に展開したデータを必要に応じて参照しつつ、ストレージ１１２に記憶されているプログラムに含まれる命令を実行して、入力機能、画面表示機能、通信機能、メール機能、及びＷｅｂブラウジング機能等の各種機能を実現する。また、制御部１０１は、タッチ表示部１２に対して省エネ制御を実行し、例えば、タッチ表示部１２に対して所定期間入力操作が行われない場合や、タッチ表示部１２がタブレットＰＣ用カバー２０のカバー部２２が閉じられた場合等には、休止状態とする。
【００６６】
また、制御部１０１は、第１のホールセンサ１６及び第２のホールセンサ１７の検出結果に基づいて、タブレットＰＣ用カバー２０のカバー部２２及びその窓部２３の開閉を検出し、その検出結果に基づいて、露出するタッチ表示部１２の一部１２Ａにデバイス情報３０を表示する一部表示処理を実行する。
【００６７】
次に、図６を参照して、上記制御部１０１によって実行される一部表示処理の一例を説明する。図６は、上記制御部１０１によって実行される一部表示処理の一例を説明するためのフローチャートである。
【００６８】
図６において、制御部１０１は、まず、第１のホールセンサ１６の検出結果に基づいて、タブレットＰＣ用カバー２０のカバー部２２が閉じた状態であるか否かを判断する（ステップＳ１）。カバー部２０１が閉じた状態である場合には（ステップＳ１の「Ｙｅｓ」）、制御部１０１は、第２のホールセンサ１７の検出結果に基づいて、カバー部２２の窓部２３が開いた状態であるか否かを判断する（ステップＳ２）。カバー部２２の窓部２３が開いた状態である場合には（ステップＳ２の「Ｙｅｓ」）、制御部１０１は、バッテリ１１４Ａが充電中であるか否か判断する（ステップＳ３）。バッテリ１１４Ａが充電中である場合には（ステップＳ３の「Ｙｅｓ」）、制御部１０１は、タッチ表示部１２の一部１２に、バッテリ１１４Ａが充電中である旨を示す情報を含むデバイス情報３０を表示する（ステップＳ４）。他方、バッテリ１１４Ａが充電中でない場合には（ステップＳ３の「Ｎｏ」）、制御部１０１は、タッチ表示部１２の一部１２Ａに、充電中でない旨を示す情報を含むデバイス情報３０を表示する（ステップＳ５）。
【００６９】
なお、上記実施例では、電子デバイスとして、タブレットＰＣについて説明したが、本発明はこれに限られるものではなく、例えば、スマートフォンやＰＤＡ等の電子デバイスに適用可能である。また、電子デバイス用カバーの形状は上記実施例に限られるものではなく、各種形状のカバーに適用可能である。また、窓部の形状及び数は上記実施例に限られるものではない。
【符号の説明】
【００７０】
１  電子デバイス
２  表示部
２Ａ  表示部の一部
３  検出手段
４  制御手段
５  電子デバイス用カバー
６  カバー部
７  窓部
７Ｂ  第１のコネクタ
９  デバイス情報
１０  タブレットＰＣ
１１  筐体
１２  タッチ表示部
１３  表示部
１４  タッチセンサ
１５  カメラ
１６  第１のホールセンサ
１７  第２のホールセンサ
１８  嵌合溝
１９Ａ、１９Ｂ  外部入力端子
２０  タブレットＰＣ用カバー
２１  装着部
２１Ａ  凸部
２２  カバー部
２３  窓部
２５  カバー材料
２６  補強板
２７  第１のマグネット
２８  第２のマグネット
２９  ケーブル
２９Ａ  第１のコネクタ
２９Ｂ  第２のコネクタ
３０  デバイス情報
１０１  制御部
１１１  メモリ
１１２  ストレージ
１１３  通信部
１１４  電源部
１１４ａ  バッテリ
【図１】
2017027465.tif 000003
【図２−Ａ】
2017027465.tif 000004
【図２−Ｂ】
2017027465.tif 000005
【図３−Ａ】
2017027465.tif 000006
【図３−Ｂ】
2017027465.tif 000007
【図４−Ａ】
2017027465.tif 000008
【図４−Ｂ】
2017027465.tif 000009
【図４−Ｃ】
2017027465.tif 000010
【図５】
2017027465.tif 000011
【図６】
2017027465.tif 000012
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
少なくとも一方の面側に表示部を備えた電子デバイスと、前記電子デバイスに装着可能に構成された電子デバイス用カバーと、を含む電子デバイスシステムであって、
前記電子デバイス用カバーは、
前記表示部を覆う閉じた状態と前記表示部を露出させる開いた状態とで開閉可能なカバー部と、
前記カバー部の一部に、前記表示部の一部を覆う閉じた状態と前記表示部の一部を露出させる開いた状態とで開閉可能に形成された窓部と、
を備え、
前記電子デバイスは、
前記窓部が開いたことを検出するための検出手段と、
前記検出手段で前記窓部が開いたことを検出した場合に、露出する前記表示部の一部に、前記電子デバイスに関するデバイス情報を表示する制御手段と、
を備え、
さらに、前記電子デバイス用カバーは、前記電子デバイスと外部機器を接続するためのケーブルを備え、
前記ケーブルは、
前記窓部に形成された、前記外部機器と接続するための第１のコネクタと、
前記電子デバイスの外部入力端子と接続するための第２のコネクタと、
を有することを特徴とする電子デバイスシステム。
【請求項２】
前記デバイス情報は、前記電子デバイスのバッテリの残量に関する情報、前記バッテリが充電中か否かを示す情報、及びメールの新着に関する情報の少なくとも１つを含むことを特徴とする請求項１に記載の電子デバイスシステム。 
【請求項３】
前記第１のコネクタは、前記窓部が閉じた状態において前記表示部と対向する面側に形成されており、前記窓部が開いた状態において露出することを特徴とする請求項１又は請求項２に記載の電子デバイスシステム。 
【請求項４】
前記外部機器は、充電用デバイスを含むことを特徴とする請求項１〜請求項３のいずれか１つに記載の電子デバイスシステム。 
【請求項５】
前記外部入力端子は、専用の外部入力端子又は汎用の外部入力端子であることを特徴とする請求項１〜請求項４のいずれか１つに記載の電子デバイスシステム。 
【請求項６】
前記検出手段は、前記ケーブルに前記外部機器が接続されたことを検出した場合に、前記窓部が開いたと検出することを特徴とする請求項１〜請求項５のいずれか１つに記載の電子デバイスシステム。 
【請求項７】
少なくとも一方の面側に表示部を備えた電子デバイスに装着可能に構成された電子デバイス用カバーであって、
前記表示部を覆う閉じた状態と前記表示部を露出させる開いた状態とで開閉可能なカバー部と、
前記カバー部の一部に、前記表示部の一部を覆う閉じた状態と前記表示部の一部を露出させる開いた状態とで開閉可能に形成された窓部と、
前記電子デバイスと外部機器を接続するためのケーブルと、
を備え、
前記ケーブルは、
前記窓部に形成された、前記外部機器と接続するための第１のコネクタと、
前記電子デバイスの外部入力端子と接続するための第２のコネクタと、
を有することを特徴とする電子デバイス用カバー。 
【請求項８】
前記第１のコネクタは、前記窓部が閉じた状態において前記表示部と対向する面側に形成されており、前記窓部が開いた状態において露出することを特徴とする請求項７に記載の電子デバイス用カバー。 
【請求項９】
少なくとも一方の面側に表示部を備え、かつ、当該少なくとも一方の面側を開閉可能なカバー部と、前記カバー部の一部に前記表示部の一部を覆う閉じた状態と前記表示部の一部を露出させる開いた状態とで開閉可能に形成された窓部とを有する電子デバイス用カバーを装着可能に構成された電子デバイスであって、
前記窓部が開いたことを検出するための検出手段と、
前記検出手段で前記窓部が開いたことを検出した場合には、露出する前記表示部の一部に、当該電子デバイスに関するデバイス情報を表示する制御手段と、
を備え、
前記電子デバイス用カバーは、前記電子デバイスと外部機器を接続するためのケーブルを備え、
前記ケーブルは、
前記窓部に形成された、前記外部機器と接続するための第１のコネクタと、
前記電子デバイスの外部入力端子と接続するための第２のコネクタと、
を有することを特徴とする電子デバイス。 
【請求項１０】
前記デバイス情報は、前記電子デバイスのバッテリの残量に関する情報、前記バッテリが充電中か否かを示す情報、及びメールの新着に関する情報の少なくとも１つを含むことを特徴とする請求項９に記載の電子デバイス。